(57)【特許請求の範囲】
【請求項１】
第１の壁パネルと同形状のパネルを水平に切断し、切断後のパネル上部を第２のパネルとし、第１の壁パネルの上部に、該第２の壁パネルが設置され、該第１の壁パネル上端部の前面及び上端面を覆うように防水材が取付けられており、
該第１の壁パネルは、上端面に雄実を有し、該雄実は該第１の壁パネルの前面よりも後退しており、該防水材は第１の壁パネルの前面から非突出となっていることを特徴とする壁パネル施工構造。
【請求項２】
請求項１において、第１の壁パネルの前面上部と第２の壁パネルの前面下部とに跨って防水層が形成され、該防水層を覆うように該第１及び第２の壁パネルの前面に塗り仕上げ又はタイル張り仕上げが施されていることを特徴とする壁パネル施工構造。
【発明の詳細な説明】
【技術分野】
【０００１】
本発明は、壁パネルの施工構造に関するものである。詳しくは、上端面に雄実を有した第１の壁パネルの上段側に第２の壁パネルを施工するに際し、該第２の壁パネルとして第１の壁パネルを水平に切断した際に廃材を出さないよう残片を利用する場合に好適な壁パネル施工構造に関するものである。
【背景技術】
【０００２】
建物の柱や既存壁面に壁パネルを留め付け、その上に塗装やタイル張りを施すことは周知である。
【０００３】
特開平１０−３１７５７９号公報には、この壁パネルとして、上端面に雄実を設け、下端面に雌実を設けたものが記載されている。下段側の壁パネルを施工した後、上段側の壁パネルを施工するに際し、この雄実を雌実に嵌合させる。この雄実と雌実とが嵌合することにより、上段側壁パネルに掛った水が壁パネルの前面に沿って流れ落ち、下段側壁パネルの裏側に回り込むことが防止される。
【特許文献１】特開平１０−３１７５７９号公報
【発明の開示】
【発明が解決しようとする課題】
【０００４】
第７図に示すように、上端に雄実４１を有し、下端に雌実４２を有した壁パネル４０を下段側から順次に壁パネルを積み上げて柱４３や既存壁面に取り付けていった場合において、例えば軒下などの張出し４４が張り出しているために最上段の壁パネル４０Ａとして、壁パネル４０を水平方向に切断して上下幅を小さくしたものを用いて納め込む場合がある。
【０００５】
水平に切断した壁パネルの下側残片を用いるときには、この下側残片に雌実４２が存在するから、この雌実４２を下段側壁パネル４０の雄実４１に嵌合させて水仕舞い（壁パネル裏側への水の浸入防止）を図ることができる。
【０００６】
ところが、第７図のように切断した残片のうちの上側のもの４０Ａを利用するときには、雌実は無いので、実嵌合が為されず、実嵌合による水仕舞いを図ることができない。この際、切断した残片のうち、上側の切断残片を利用することなく廃棄したのでは、材料の無駄になる。
【０００７】
本発明は、パネルの廃材を出すことなく、切断残片を利用するための構造であって、上側壁パネルに雌実が無い場合であっても上下の壁パネル間の継目の止水を図ることができる壁パネル用防水材と、壁パネル施工方法及び構造を提供することを目的とする。
【課題を解決するための手段】
【０００８】
請求項１の施工構造は、第１の壁パネルと同形状のパネルを水平に切断し、切断後のパネル上部を第２のパネルとし、第１の壁パネルの上部に、該第２の壁パネルが設置され、該第１の壁パネル上端部の前面及び上端面を覆うように防水材が取付けられており、該第１の壁パネルは、上端面に雄実を有し、該雄実は該第１の壁パネルの前面よりも後退しており、該防水材は第１の壁パネルの前面から非突出となっていることを特徴とするものである。
【０００９】
請求項２の壁パネル施工構造は、請求項１において、第１の壁パネルの前面上部と第２の壁パネルの前面下部とに跨って防水層が形成され、該防水層を覆うように該第１及び第２の壁パネルの前面に塗り仕上げ又はタイル張り仕上げが施されていることを特徴とするものである。
【発明の効果】
【００１０】
本発明によると、第１の壁パネルと同形状のパネルを水平に切断し、切断後のパネルの上部も利用するため廃材が出ない。しかも、壁パネル用防水材が上下の壁パネルの間を通って下段側壁パネルの上端部前面にまで延在し、この上端部前面に付着しているため、上下の壁パネル間の止水を図ることができる。
【００１１】
本発明構造においては、第１の壁パネルの上端の雄実を該第１の壁パネルの前面よりも後退させ、防水材を第１の壁パネルの前面から非突出となるようにしたことにより、壁パネル前面を平坦に仕上げることが容易となる。
【００１２】
壁パネルの仕上げを行うには、上下の壁パネルに跨って防水層を設けた後、塗り仕上げ又はタイル張り仕上げを行うのが好ましい。
【発明を実施するための最良の形態】
【００１３】
以下、図面を参照して実施の形態について説明する。第１図は実施の形態に係る壁パネル施工構造により構築された壁を示す断面図、第２図は同分解斜視図、第３図（ａ）は、シール部材の斜視図、同（ｂ）は剥離シートを備えたシール部材の断面図、第４，５図はサンドイッチパネルを示す断面図と斜視図である。
【００１４】
この実施の形態では、壁パネルとしてサンドイッチパネル１０を用いている。第４，５図の通り、このサンドイッチパネル１０は、前面を構成する第１金属板１１と、後面を構成する第２金属板１２と、第１金属板１１と第２金属板１２との間に一体に設けられた発泡ポリウレタンフォーム等からなる断熱材１３とを有している。
【００１５】
サンドイッチパネル１０の上端には、厚みを小さくするようにして雄実１０ａが形成され、下端面には、雄実１０ａが挿入され得る雌実１０ｂが形成されている。各金属板１１，１２の上端側は、それぞれ雄実１０ａの前面及び後面をも覆っている。また、各金属板１１，１２の下端側は、サンドイッチパネル１０の前面側及び後面側から雌実１０ｂ内に回り込んでいる。雌実１０ｂの奥端面にはゴムパッキン１０ｃが設けられている。
【００１６】
このサンドイッチパネル１０を壁面に取り付けるには、前記第７図のように、雄実１１と雌実１２とを嵌合させながら下段側から順次に積み上げ、ビス等によって柱や既存壁などに取り付ける。
【００１７】
前記第７図のように、軒下などの張出し４４があり、サンドイッチパネル１０の上端が張出し４４と干渉するときに、サンドイッチパネル１０を現場寸法に合わせて水平方向に切断し、納め込む。この際、切断により余った上半分の残片は隣の列のパネルとして用いることができる。この実施の形態では、切断した上半側の残片よりなるサンドイッチパネル１０Ａを用いている。このサンドイッチパネル１０Ａには雌実１０ｂがないので、その直下のサンドイッチパネル１０の上端との間を壁パネル用シール部材１でシールする。
【００１８】
このシール部材１は、第３図の通り、ポリエチレン、ポリプロピレン、塩化ビニルなどの耐水性と屈曲性を有した合成樹脂テープよりなる基材テープ２と、該基材テープ２の一方の面（第１面）に設けられた第１防水粘着剤層３と、他方の面（第２の面）に設けられた第２防水粘着剤層４とを有する。
【００１９】
防水粘着剤層３，４としてはブチルゴム等が好適である。
【００２０】
第１防水粘着剤層３は、基材テープ２の一方の長側辺に沿って設けられ、第２防水粘着剤層４は、他方の長側辺に沿って設けられている。
【００２１】
第１防水粘着剤層３の幅は、第２防水粘着剤層４の幅よりも大である。第１防水粘着剤層３の該幅は、基材テープ２の幅の５０％以上であることが好ましく、特に５０〜８０％程度が好適である。第２防水粘着剤層４の幅は、基材テープ２の幅の１０〜３０％程度が好適である。
【００２２】
未使用のシール部材１にあっては、各防水粘着剤層３，４は第３図（ｂ）の通り、剥離シート５，６で覆われている。
【００２３】
このシール部材１を用いてサンドイッチパネル１０Ａの施工を行うには、まず剥離シート５を剥離して防水粘着剤層３を露出させ、第２図の通り、サンドイッチパネル１０Ａの下端部後面から下端面にかけて防水粘着剤層３を介してシール部材１をサンドイッチパネル１０Ａに貼着する。
【００２４】
第２図の符号１ａは、シール部材１のうちサンドイッチパネル１０Ａの後面に付着した部分を示し、１ｂは下端面に付着した部分を示す。１ｃは、まだサンドイッチパネル１０に付着していない下辺部分を示す。
【００２５】
シール部材１をサンドイッチパネル１０Ａの下端面にも付着させているので、該下辺部分１ｃは下端面から前方へ張り出している。
【００２６】
この状態でサンドイッチパネル１０Ａをサンドイッチパネル１０の上端に載置し、次いで、剥離シート６を剥離させ、防水粘着剤層４を介して下辺部分１ｃをサンドイッチパネル１０の雄実１０ａの前面に付着させる。
【００２７】
なお、雄実１０ａは、サンドイッチパネル１０の前面及び後面のいずれからも若干後退しており、雄実１０ａとサンドイッチパネル１０の前面及び後面との間に段差が存在する。下辺部分１ｃはこの段差内に納まっており、シール部材１はサンドイッチパネル１０の前面から突出しないようになっている。
【００２８】
このシール部材１がサンドイッチパネル１０Ａの後面から下端面を経てサンドイッチパネル１０の前面にまで配材され、且つサンドイッチパネル１０Ａの後面とサンドイッチパネル１０の前面とに防水粘着剤層３，４を介して付着しているため、サンドイッチパネル１０Ａの前面に掛った水は、サンドイッチパネル１０Ａ，１０の裏側に浸入することなく、サンドイッチパネル１０の前面に沿って流れ落ちる。
【００２９】
この実施の形態では、サンドイッチパネル１０Ａとしてサンドイッチパネル１０の切断後の上側の残片を利用しているので、材料の無駄を回避することができる。なお、切断後の下側の残片も同様に、軒下部分等に施工することができ、この場合は、該残片の雌実１０ｂをサンドイッチパネル１０の雄実１０ａに嵌合させることにより、止水を図ることができる。
【００３０】
この実施の形態では、上記のようにサンドイッチパネル１０，１０Ａを施工した後、サンドイッチパネル１０，１０Ａの板間の継目に跨ってネット８を当て、パテ等の接着剤９を塗着し、接着剤９内にネット８を塗り込める。その後、サンドイッチパネル１０，１０Ａの前面側に塗り仕上げ又はタイル張り仕上げを施すことにより、美麗な壁を構築することができる。
【００３１】
なお、この実施の形態では、シール部材１の下辺部分１ｃの下縁に沿ってのみ防水粘着剤層４が設けられているので、該下辺部分１ｃをサンドイッチパネル１０の前面に付着させるときは、下辺部分１ｃを十分に下に引張り、緩みや皺を生じさせることなく、防水粘着剤層４を介してサンドイッチパネル１０の前面に貼着させ易い。
【００３２】
本発明は、サンドイッチパネル以外の壁パネルを用いた場合にも適用可能である。第６図は参考例を示すものであり、雄実及び雌実のない壁パネル２０，２０を施工している。各壁パネル２０の下端面及び上端面は壁パネル２０の前面及び後面と垂直である。
【００３３】
シール部材１は、上段側の壁パネル２０の下端部後面及び下端面に付着されて前記第２図と同様にして施工に供される。壁パネル２０，２０を重ね合わせた後、下段側の壁パネル２０の上端部前面にシール部材１の下辺部分を付着させる。その後の仕上げは前記実施の形態と同様に行われる。
【００３４】
上記実施の形態は本発明の一例であり、本発明は図示以外の形態をもとりうる。
【図面の簡単な説明】
【００３５】
【図１】実施の形態を示す縦断面図である。
【図２】実施の形態を示す分解斜視図である。
【図３】シール部材の構成図である。
【図４】（ａ）図はサンドイッチパネルの全体断面図、（ｂ），（ｃ）図はサンドイッチパネルの上部及び下部の拡大図である。
【図５】サンドイッチパネルの斜視図である。
【図６】参考例に係る構造を示す断面図である。
【図７】壁パネルの施工納まりを示す縦断面図である。
【符号の説明】
【００３６】
１  壁パネル用シール部材
２  基材テープ
３，４  防水粘着剤層
５，６  剥離シート
１０，１０Ａ  サンドイッチパネル
２０  壁パネル
【図１】
0004572784.tif 000002
【図２】
0004572784.tif 000003
【図３】
0004572784.tif 000004
【図４】
0004572784.tif 000005
【図５】
0004572784.tif 000006
【図６】
0004572784.tif 000007
【図７】
0004572784.tif 000008